(57)【特許請求の範囲】
【請求項１】
高ダイナミックレンジを示す無線周波数信号を受信するアンテナと、
前記無線周波数信号をゼロ中間周波数信号に逓降変換する周波数逓降変換器であって、ミキサーと、前記ミキサーの出力端に結合されたAC結合器と、前記高ダイナミックレンジより低い信号分解範囲をもつ受信信号強度指示器とを有する周波数逓降変換器と、
前記ゼロ中間周波数信号を処理する信号プロセッサと、
前記アンテナと前記信号プロセッサを含むベースバンド回路との間に結合された少なくとも１つの増幅器と、
前記少なくとも１つの増幅器の少なくとも利得を制御する自動利得制御器と、を備え、
前記自動利得制御器は、前記利得を所定の利得に設定し、DCオフセット信号が減衰する所定の時間待機し、前記受信信号強度指示器の読取り値が前記信号分解範囲内にあるかどうかを検査して、前記読取り値が前記信号分解範囲内にある場合に前記読取り値に応じて前記利得を設定することで前記少なくとも１つの増幅器の利得を設定するよう構成され、前記読取り値が前記信号分解範囲内に無い場合に前記利得は段階的に増加または減少されかつ前記待機することおよび前記検査することが繰り返されることを特徴とするゼロ中間周波数無線装置。
【請求項２】
前記所定の利得は、初期状態では、前記利得の最高利得値であり、前記読取り値が前記信号分解範囲内に入るまで前記所定の時間を繰り返し待機し前記検査を繰り返し実行している間に前記自動利得制御器は前記利得を段階的に減らすように構成されている請求項１記載のゼロ中間周波数無線装置。
【請求項３】
前記所定の利得は、初期状態では、前記利得の最小利得値であり、前記読取り値が前記信号分解範囲内に入るまで前記所定の時間を繰り返し待機し前記検査を繰り返し実行している間に前記自動利得制御器は前記利得を段階的に増やすように構成されている請求項１記載のゼロ中間周波数無線装置。
【請求項４】
前記少なくとも１つの増幅器は、前記アンテナと前記ミキサーの入力端との間に接続されている無線周波数増幅器と、前記ミキサーの出力端と前記信号プロセッサとの間に接続されたゼロ中間周波数増幅器とから構成され、前記利得は前記無線周波数増幅器の第１利得と前記ゼロ中間周波数増幅器の第２利得の積であり、前記自動利得制御器は、前記利得を設定するときに前記第１利得を最初に制御するように構成されている請求項２記載のゼロ中間周波数無線装置。
【請求項５】
前記少なくとも１つの増幅器は、前記アンテナと前記ミキサーの入力端との間に接続されている無線周波数増幅器と、前記ミキサーの出力端と前記信号プロセッサとの間に接続されたゼロ中間周波数増幅器とから構成され、前記利得は前記無線周波数増幅器の第１利得と前記ゼロ中間周波数増幅器の第２利得の積であり、前記自動利得制御器は、前記利得を設定するときに前記第１利得を最後に制御するように構成されている請求項３記載のゼロ中間周波数無線装置。
【請求項６】
ゼロ中間周波数無線装置を利得制御する利得制御方法であって、前記ゼロ中間周波数無線装置は、高ダイナミックレンジを示す無線周波数信号を受信するアンテナと、前記無線周波数信号をゼロ中間周波数信号に逓降変換する周波数逓降変換器とを含み、前記周波数逓降変換器は、ミキサーと、前記アンテナと前記信号プロセッサを含むベースバンド回路との間に結合された少なくとも１つの増幅器と、前記ミキサーの出力端に接続されたAC結合器とを有し、前記ゼロ中間周波数無線装置はさらに、前記高ダイナミックレンジより低い信号分解範囲をもつ受信信号強度指示器を含み、
前記利得を所定の利得に設定し、
前記無線装置のDCオフセット信号が減衰する所定時間待機し、
前記受信信号強度指示器の読取り値が前記信号分解範囲内にあるかどうかを検査し、
前記読取り値が前記信号分解範囲内にある場合には前記読取り値に応じて前記利得を設定することで、
前記少なくとも１つの増幅器の少なくとも利得を設定し、
前記読取り値が前記信号分解範囲内に無い場合に前記利得は段階的に増加または減少されかつ前記待機することおよび前記検査することが繰り返されることを含むことを特徴とする方法。
【発明の詳細な説明】
【０００１】
（発明の属する技術分野）
本発明は、受信器や送受信器などのゼロ中間周波数無線装置における自動利得制御に関する。こうした無線装置は、周波数逓降変換および復調されて受信された無線周波数信号を処理し、送信部があれば、変調および周波数逓増変換された信号を送信する。こうした無線装置とは、セルラー無線、コードレス電話システム、ワイヤレス構内ネットワーク無線装置、サテライト無線装置または他の任意の適切な無線装置のことを示す。
【０００２】
（従来の技術）
ハンドブック「ワイヤレス通信用の無線周波数およびマイクロウェーブ回路設計（RF and Microwave Circuit Design for Wireless Communications）」、L.E. Larson, Artech House Publishers, 1996, page 73に、直接変換ゼロ中間周波数（IF）受信器が示してある。こうした受信器では、受信器に備えられた局部発振器が到来する無線周波数信号の搬送波周波数に合わせられる。こうした直接変換ゼロ中間周波数受信器に複数の直流（DC）結合段が設けられていると、ゼロ中間周波数無線装置のアンテナとミキサーの間に通常設けられている低ノイズ無線周波数増幅器の入力端へのLO漏出によるようなDCオフセット、さらにチャネルフィルタ、増幅器、他の要素など無線装置の様々な構成要素におけるDCオフセットにより深刻な問題が発生することになる。こうしたDCオフセットの問題を緩和するために、無線装置の受信部分にＡＣ結合が備えられている。こうしたＡＣ結合は様々な段にわたって分配されている。こうした段では、各段のDCオフセットがその段のダイナミックレンジよりもはるかに小さくなるように設計されている。
【０００３】
米国特許第5，982，807号明細書には、IEEE802.11b規格に規定されたいわゆる2.4GHz ISM帯域における、中間周波数スプレッドスペクトラム無線送受信器のワイヤレス構内ネットワークでの使用が開示されている。送受信器では、ベースバンドプロセッサは、トランシーバに含まれた無線回路から受信したスプレッドスペクトラム位相偏移キーイング（PSK）復調情報用の復調器を備えている。２方向または２進PSKモード（BPSK)だけでなく、トランシーバは直交部分PSKモード（QPSK)でも動作可能である。復調器はアナログ／デジタル変換器の出力端に接続されている。アナログ／デジタル変換器は無線回路にＡＣ結合されている。平均的なDC成分を実質的に減らすためには、特定の型のウォルシュコードが使用される。米国特許5，982，807号明細書の図１に示すように、ワイヤレストランシーバには、アンテナと、周波数逓増／逓降変換器と、Tx/Rxスイッチとが備えられている。周波数逓増／逓降変換器は、トランシーバの受信部における低ノイズ無線周波数増幅器ならびに送信部における無線周波数電力増幅器に接続されている。周波数逓増／逓降変換器は周波数合成器および中間周波数変調器／復調器に接続されている。トランシーバにはさらに様々なフィルタと、電圧制御型発振器とが含まれている。ベースバンドプロセッサには、変調器／復調器から直交IおよびQ信号を受け取る高速３ビットアナログ／デジタル変換器が含まれている。さらに、ベースバンドプロセッサには、６ビットアナログ／デジタル変換器と共に受信信号強度指示監視機能が備えられている。
【０００４】
DRAFT補録、パート11の62頁には、上記IEEE802.11b規格に対して、北アメリカチャンネル選別用に動作中のチャンネルが示されている。2412 MHzに同調された無線装置における局部発振器により、ゼロ中間周波数無線装置は、図示の非重複チャンネル1からの無線信号を受信する。
【０００５】
米国特許第5，982，235号明細書では、移動通信用に使用されている自動利得制御回路(AGC)が開示されている。米国特許第5，982，235号明細書の図７に示してあるように、増幅器の利得は設定されている。入力中間周波数信号を増幅する増幅器には利得制御機能が備えられている。こうして増幅された信号は復調回路に出力される。上記のように移動通信にAGCを適用すると、受信レベルが最大+10dB以上または-30dB以下に変化する。フェーディング現象などのためにAGCの制御範囲から外れて受信レベルが大幅に低下することを考えて、図示の自動利得制御回路には、中間周波数(RSSI)におけるフェージング検出回路と、AGC収束レベル設定回路、S/N比検出回路と、AGC設定回路が備えられている。S/N比検出回路は増幅器の出力端に接続され、１方の入力信号をAGC収束レベル設定回路に送る。RSSIは他の入力信号をAGC収束レベル設定回路に送る。AGC回路はさらに増幅器の出力端に接続された減衰設定回路を備えている。AGC回路の出力信号は減衰設定回路の出力端に現れる。RSSIはAGC回路が高速で移動中かどうかを検出する。この場合には、AGC収束レベル設定回路はAGC収束レベルを増減させることで、データの損失を防ぐ。そうでない場合には、出力信号対ノイズの比および出力信号レベルが一定のレベルで維持される。フェーディングが発生すると、AGC収束のレベルが増加するので、出力信号対ノイズ比の劣化が防がれる。減衰回路は、出力信号のレベルが一定になるように設定される。
【０００６】
（発明の概要）
本発明の目的は、受信信号強度指示器の信号分解範囲が、到来する無線周波数信号により示された高ダイナミックレンジより低くなる、複数のAC結合段を備えたゼロ中間周波数無線装置における自動利得制御器を提供することにある。
【０００７】
本発明の他の目的は、最初の段階で最大利得または最小利得で開始することで、受信信号強度指示器の線形レンジ内にサンプル化される出力信号を供給することを繰り返すような自動利得制御器を提供することにある。
【０００８】
本発明のさらに他の目的は、低ノイズ無線周波数増幅器（LNA）の利得を修正することで起動を始め、最大のDCオフセット問題が存在しLNAの利得を減少させることでバンド外の妨害器の影響を低下させることが可能な自動利得制御器を提供することにある。
【０００９】
本発明のさらに他の目的は、AC結合のカットオフ周波数を減少させることで、AGCが確定した後でのAC結合の悪影響を低下させることにある。
【００１０】
本発明のさらに他の目的は、アンテナとゼロ中間周波数信号を処理する信号プロセッサとの間の、受信部の構成要素にわたって利得制御を分配することにある。
【００１１】
本発明により提供されるゼロ中間周波数無線装置は、
高ダイナミックレンジを示す無線周波数信号を受信するアンテナと、
前記無線周波数信号をゼロ中間周波数信号に周波数逓降変換する周波数逓降変換器であって、ミキサーと、前記ミキサーの出力端に接続されたAC結合器と、前記高ダイナミックレンジより低い信号変換レンジをもつ受信信号強度指示器とを含む周波数逓降変換器と、
前記ゼロ中間周波数信号を処理する信号プロセッサと、
前記アンテナと前記信号プロセッサの間に結合された少なくとも１つの増幅器と、
前記少なくとも１つの増幅器を少なくとも利得制御する自動利得制御器と、を含み、
前記自動利得制御器は、前記利得を所定の利得に設定し、前記無線装置のDCオフセット信号が減衰する所定の時間待機し、前記受信信号強度指示器の読取り値が前記信号分解範囲内にあるかどうかを検査し、前記読取り値が前記範囲内にある場合には前記読取り値に応じて前記利得を設定することで、前記少なくとも１つの増幅器の利得を設定するように構成されている。
【００１２】
本発明は、複数のAC結合器を備えたゼロ中間周波数無線装置において、DCオフセットによる、RSSIの出力端で信号の飽和が発生しない場合にのみACGが設定可能になるという考えに基づいている。
【００１３】
（実施形態）
図面を通して、同じ参照番号は同じ要素に使用している。
【００１４】
図１は、本発明によるゼロ中間周波数無線装置としてトランシーバ1の構成図である。トランシーバ1は、受信部Rxと送信部Txから構成される。送信部Txが備えられてない他の実施例では、無線装置が受信器となっている。送信部Txは、フィルタ2、3を備えた直交ミキサーと、ミキサー4、5と、加算器6と、さらに直交ミキサーに接続された送信電力増幅器7とから構成される。入力側では、直交ミキサーは変調器（詳細に図示せず）を備えたベースバンド回路に接続される。出力側では、送信電力増幅器7はTx/Rxスイッチ8に結合される。Tx/Rxスイッチ8はアンテナ9に接続されている。こうした送信部は当技術分野では周知である。受信部Rxは、Tx/Rxスイッチ8に接続されている可変利得低ノイズ無線周波数増幅器(LNA)10を備えている。LNA10は、アンテナ9で受信される到来無線周波数信号RFに相当する出力信号Vsigを増幅する。無線周波数信号RFは、たとえば、上記IEEE802.11b規格で定義されたいわゆる2.4GHzバンドのチャンネル1で受信され、通常、-90dBmから-10dBmの80dBの高ダイナミックレンジを示す。LNA10の出力端11は、無線周波数信号RFをゼロ中間周波数（IF)信号Vinに逓降変換する周波数逓降変換器12に接続されている。図示されているのは直交周波数逓降変換器である。周波数逓降変換器12は、各直交部のミキサー13と14と、ろ過され増幅された直交信号Rx_QおよびRx_Iを供給する同相ミキサー経路とを備えている。周波数逓降変換器12にはさらに、制御可能なAC結合器15, 16, 17, 18、制御可能なチャンネルフィルタ19, 20, 21, 22,  およびゼロIF（中間周波数）増幅器23、24とが備えられている。AC結合器15と17はミキサー13と14の間およびゼロIF増幅器23と24の間にそれぞれ接続されている。AC結合器16と18はチャンネルフィルタ19と20の間およびチャンネルフィルタ21と22の間にそれぞれ接続されている。制御パス25は、増幅器10, 23および24の利得を制御し、チャンネルフィルタ19, 20, 21および22の利得および他のパラメータを制御するために備えられている。AC結合器15の出力端には信号Voutが示されている。制御バス25上の制御信号は、ベースバンド回路27の信号プロセッサ26と、状態マシン28と、AGCバス制御器29から構成されるAGC制御器により供給される。信号またはマイクロプロセッサ26は、非揮発性プログラムデータおよびプログラムデータと共に使用する揮発性データを記憶するROMとRAM（詳細には図示せず）を含む。状態マシン28はAGCバス制御器29を制御して、AC結合器15, 16, 17および18にカットオフ周波数制御信号を供給する。状態マシンの機能性が画定されると、たとえば、いわゆるASIC（Application Specific Integrated Circuit:特定用途向け集積回路）の形態をとって状態マシン28を実現するのは当業者には難しいことではない。信号プロセッサが複数の専用入出力ポートを備えている他の実施形態では、状態マシン28は不要になる。こうした実施形態では、プログラム式信号プロセッサはすべての必要な制御信号を供給する。ベースバンド回路27はさらに直交信号Rx_IとRx_Qをサンプリングするアナログ／デジタル変換器30と31を備えている。サンプリングされたRx_IとRx_Q信号は復調器（ここでは詳細には図示せず）に供給される。トランシーバ1はさらに周波数合成器32を含み、この周波数合成器32は、受信部Rxと送信部Tx用の局部発振器信号を生成するPLLを備えている。当技術分野では周知��ように、PLLは電圧制御発振器(VCO)33とループフィルタ34とを備えている。基準発振器信号（図示せず）はPLLに供給される。ISMチャンネル1用の2412MHz LOを生成するためには、1.2GHz VCO信号を２倍にする。受信部Rxのミキサー13と14および送信部のミキサー4と5に供給される90度位相シフトされたLO信号を生成するために、90度位相シフタ35は２倍にされたVCO信号に接続されている。トランシーバ1はさらに、自乗器（squarer）36と37と、加算器38と、ローパスフィルタ(LPF)39と、対数増幅器（LOG)40と、アナログ／デジタル変換器41とから構成された受信信号強度指示器(RSSI)を含んでいる。サンプリングされたRSSI信号は、特定の実施形態に応じて、状態マシン28または信号プロセッサ26に供給される。
【００１５】
図２は本発明によるAGC設定表および利得設定の第１ステップを示す。図３は本発明によるAGC設定表と利得設定の第２ステップを示す。
【００１６】
受信器がオンになると、AGCは10マイクロ秒以内に処理するのが望ましい。AGC制御器を形成する状態マシン28と信号プロセッサ26は、本発明に応じたAGC設定を実施するようにプログラミングされている。第１実施形態では、最初に、受信経路Rxの利得は最高利得MAX_GAINに設定される。第２実施形態では、最初に、受信経路Rxの利得は最小利得MIN_GAINに設定される。第１実施形態では、第２実施形態よりも迅速なAGC設定時間を示し、振幅の小さい無線信号が最初に、最高利得で変換される。第２実施形態では、振幅の大きい無線信号が最初に、最小利得で変換される。第１実施形態を以下に詳細に説明する。最初に、AGCコードをゼロに設定する。所与の例では、アナログ／デジタル変換器41は5ビット変換器なので、その出力端では、0から31の間のデジタルコードが生成される。RSSI回路は、出力デジタルコード0ないし31の範囲に対する32 dB入力信号範囲（安全範囲）に渡って線形に動作するものと仮定されている。こうした0ないし31の範囲の外側では、アナログ／デジタル変換器41の読取り値は、実際の受信無線周波数信号RFの信頼のおける表現ではないと考えられる。したがって、80 dBのRF信号のダイナミックレンジの一部だけしかサンプル化されない。AGC設定表50には、例として、必須AGC減衰対RF入力信号レベルが示されている。RSSIの読取り値は矢印で示されている。こうした仮定に基づいて、最高利得では、31より大きい範囲に相当する読取り値はすべて拒絶され、AGCは設定されない。利得の設定が高すぎると、無線周波数信号強度が低い場合には、Rx経路の小さなDCオフセットでしか、容易にRx経路に信号を飽和させられない。こうした飽和を回避するために、AC結合器15, 16, 17および18が備えられている。すなわち、AGC表50に示してあるように、最初に、最高利得で、-90 dBmと-60 dBmの間の無線周波数信号だけ確実にRSSIにより指示可能である。所与の例では、80 dBのダイナミックレンジの無線周波数信号は0ないし80にコード化される。こうしたコード化により、AGCは1 dBの精度で定められる。コードの信号への他のマッピングが、異なるAGC設定精度で、適用可能なのは、当業者には容易に理解されることである。たとえば、コード=15を読み取ると、最高利得で、0ないし31のコード範囲内では、飽和は発生しない。次いで、最高利得から15 dBのRx経路の利得を引くことでAGCを設定可能である。Rx経路中の利得を特定の利得値に設定すると、I&Q出力信号を実際に使用する前の全段階において、Rx経路の全DCオフセットが除去されるまで待たなければならない。各段の最高DCオフセットが知られているという仮定に基づいて、特定の段の利得の修正に応じて、消去すべきDCオフセットの待機時間が設定される。VCO+周波数２倍器から低ノイズ無線周波数増幅器11の入力端へのLO漏出のために最大のDCオフセットが期待できる。ミキサー13と14の後の他の段は通常はより低いDCオフセットを示すことになる。消去すべきLNA11の入力端でのDCオフセットの待機時間は通常は2ないし3マイクロ秒に設定される。他の段では、待機時間は通常1マイクロ秒に設定される。コード=31を読み取ると、最高利得で、飽和状態になる。次いで、AGCを設定することはできず、利得設定および消去するDCオフセットを待機する上記のステップと同様に、他のステップが必要である。この他のステップでは、最高利得から、Rx経路の利得が31dB削減される。このことは、この他のステップにおいて、無線周波数信号は-59 dBmと-29 dBmの間の信号強度で指示可能であることを意味している。この他のステップでは、AGCコードは31に設定される。この他のステップではさらに、利得設定の変化によるDCオフセットが消去されるまで待機しなければならない。たとえば、コード=2を読み取ると、AGCは依然として設定できない、これは、Rx経路の利得が高すぎるために、読取りコード=2が依然としてI&Q A/D入力端でのRx経路を飽和させているからである。次いで、上記２つのステップと同様に、さらに他のステップが必要とされる。次のステップでは、利得が2 dB削減される。所与の例では、実際の入力信号は-57 dBmである。第２の実施形態では、最小利得から始まり、RSSI読取りがそれに対応するコードの範囲に当てはまるまで、同様のステップが実行されて、最終的に、RSSIをゼロが読み取られるように設定する。
【００１７】
図４は、無線装置1のミキサー13の出力端でDCオフセット信号を引き起こすLO漏出と、上記出力端に接続されたAC結合器15を示す。さらに、信号VsigおよびVinの周波数スペクトル、およびＡＣ結合器の出力端での時間の関数としてのLNA１１の入力端へのLO漏出によるDCオフセットVout, DCの減衰が示されている。所与の例では、LNA11の利得は２つのステップで、+20 dBまたは0 dBに設定可能である。AC結合器15の1MHzカットオフ周波数では、20 dBのLNA 11の利得変化において、最初に、LNA11の入力端での漏出が低レベルのために巨大なDCオフセットが現れる。消去すべきDCオフセットの待機時間は、Vout, DCがVsig/10より小さくなるまで待機状態が発生しているように設定される。1 MHzのカットオフ周波数では、待機時間は通常は、3マイクロ秒である。AC結合器15のカットオフ周波数が初期では比較的高いために、周波数スペクトラムの切れ目が発生する。こうした切れ目のためにRSSIは無線周波数信号RFの不正確な測定値を示すことになる。したがって、AGCが設定された後に、AC結合器15のカットオフ周波数を減ずるのが有益である。さらに、AC結合器15のカットオフ周波数が高くなるほど、S/N比が悪くなる。そのため、AGCが設定された後で、指示されているようにAC結合器15の時定数RCを下げることによりAC結合器のカットオフ周波数を減ずることができる。抵抗器Rは連続的または段階的に変化可能である。
【００１８】
図５は、時間tの関数としてAC結合器15の出力端にエラー信号Verrorを示す。t=t0において、AC結合器15のカットオフ周波数およびAC結合器16のカットオフ周波数は1 MHzである。t=t1では、完全なAGC利得が設定されると、カットオフ周波数は100 kHzに減じられる。最後に、t=t2において、カットオフ周波数はさらに10 kHzに減じられ、かなりの程度AC結合を効果的に除去できる。このため、信号Verrorは信号Vinの10%より低く徐々に低下することになる。
【００１９】
図６は、無線装置1におけるAC結合の周波数特性60ならびにゼロ中間周波数信号のチャンネルろ過の周波数特性61、さらに、ミキサー15の出力端におけるゼロIF信号の周波数スペクトラム62を示す。
【００２０】
AGCが設定されると、その後の信号レベルの増減を検出するには、受信信号強度指示器入力への利得を10 dB減ずるのが有益である。受信信号強度指示器の入力端への利得は、Rx_QとRx_I出力端の間および自乗器36と37の間に接続された制御可能な減衰器（ここでは詳細には図示せず）により減ずることができる。次いで、RSSIの名目上の設定点は、ゼロのかわりに、10となり、+10 dBから-22 dBへの信号変化を示し、その範囲を越えて飽和が発生する。
【００２１】
さらに、たとえば、42 dBの範囲のより広い範囲のRSSIをこの目的のために使用可能である。これは、+10 dBないし-32 dBの信号変化が読み取られることになる。この実施形態では、0ないし31の間の読取りはAGCで使用され、これに対して-10と-1の間の読取りが上記の目的のために使用される。
【００２２】
所与の実施形態では、利得低減、チャンネルろ過、カットオフ周波数の低減を多くの段に渡って分配可能である。最高利得からより低い利得にRx経路の利得を低減させるときには、最初に、LNA11の利得を下げるのが有益である。同様に、最小利得からより高い利得にRx経路の利得を増加させるときには、最後のステップでLNA11の利得を増加させるのが有益である。こうした利得設定により、ISMバンドの他のチャンネルのバンド外の妨害器や干渉要因の影響が緩和される。さらに、利得設定が低くなると、無線の前置構成が一層線形状になる。
【００２３】
上記の説明から、請求の範囲により限定された本発明の精神と範囲内で様々な修正を実行可能であり、したがって、本発明は提示された例に制限されるものではないことが当業者には明らかであろう。単語「含む、備える、成る、構成する（comprise）」は、請求項に並べられた要素以外の要素またはステップの存在を排除するものではない。
【図面の簡単な説明】
【図１】  本発明によるゼロ中間周波数無線装置の構成図。
【図２】  本発明によるAGC設定表および利得設定の第１ステップとを示す図。
【図３】  本発明によるAGC設定表および利得設定の第２ステップとを示す図。
【図４】  無線装置におけるミキサーの出力端におけるDCオフセット信号を引き起こすLO漏出ならびにミキサーの出力端に接続されたAC接合器を示す図。
【図５】  時間の関数としてAC結合器の出力端におけるエラー信号を示す図。
【図６】  無線装置におけるゼロ中間周波数信号のAC結合およびチャンネルろ過を示す図。
【符号の説明】
1  トランシーバ
2, 3  フィルタ
4, 5  ミキサー
6  合算器
7  電力増幅器
8  Tx-Rxスイッチ
9  アンテナ
10  可変利得低ノイズ無線周波数増幅器（LNA)
11  LNAの出力端
12  周波数逓降変換器
13，14  ミキサー
15,16,17,18  ＡＣ結合器
19,20,21,22  チャネルフィルタ
23,24  ゼロIF増幅器
25  制御バス
26  信号プロセッサ
27  ベースバンド回路
28  状態マシン
30,31  アナログ／デジタル変換器
32  周波数合成器
33  電圧制御発振器
34  ループフィルタ
35  90度位相シフタ
36,37  自乗器
38  加算器
39  ローパスフィルタ
40  対数増幅器
41  アナログ／デジタル変換器
【図１】
0004815562.tif 000002
【図２】
0004815562.tif 000003
【図３】
0004815562.tif 000004
【図４】
0004815562.tif 000005
【図５】
0004815562.tif 000006
【図６】
0004815562.tif 000007